(57)【要約】【課題】コンクリート床版の配筋と干渉することがなく、せき板に事前に穴あけ加工が不要であり、現場での部品の組み立て工程を少なくした、支柱とコンクリート床版の固定方法を提案すること。【解決手段】摺動部８ａと平面部８ｂからなるアンカー材８の摺動部を支柱４に係合させながら平面部を発泡合成樹脂製ブロック６の上面に当接させる過程と、上記平面部に形成された穴を貫通して剪断ボルト９を発泡合成樹脂製ブロックの上面に打ち込む過程と、せき板１０を上記平面部に形成された長穴に楔１１を打ち込み該楔と上記支柱で上記せき板を挟む過程と、上記発泡合成樹脂製ブロックと上記せき板で区画される部分にコンクリートを打設する過程を含む支柱とコンクリート床版の固定方法とした。【選択図】図８
2020200672.tif 000002
【特許請求の範囲】
【請求項１】
コンクリート基礎に立設された支柱を、該支柱に隣接して積み上げられた発泡合成樹脂製ブロックの上に形成されるコンクリート床版に固定する方法において、
上記支柱の長手方向に摺動可能に支柱に係合する摺動部と、剪断ボルトを通すための穴と楔を打ち込むための長穴とを備える平面部からなるアンカー材の前記摺動部を上記支柱に係合させながら、上記アンカー材の平面部を上記積み上げた発泡合成樹脂製ブロックの上面に当接させる過程と、
上記アンカー材の平面部に形成された穴を貫通して剪断ボルトを上記発泡合成樹脂製ブロックの上面に打ち込み発泡合成樹脂製ブロックとアンカー材を互いに仮固定する過程と、
上記発泡合成樹脂製ブロックの上面にコンクリートを打設するためのせき板を上記支柱に当接するように配置する過程と、
上記アンカー材の平面部に形成された長穴に楔を打ち込み該楔と上記支柱で上記せき板を挟んでせき板を仮固定する過程と、
上記発泡合成樹脂製ブロックと上記せき板で区画される部分にコンクリートを打設しコンクリート床版を形成する過程を含むことを特徴とする、支柱とコンクリート床版の固定方法。
【請求項２】
上記支柱の断面が略平面状の中央平面部と上記中央平面部に対して直角に曲げて形成された係合用平面部を備え、上記アンカー材の摺動部を上記支柱に係合させる過程が、上記アンカー材の上記摺動部を上記支柱の係合用平面部に当接させる過程であることを特徴とする、請求項１に記載の支柱とコンクリート床版の固定方法。
【請求項３】
上記支柱の係合用平面部に長手方向に延在する溝が形成されていることと、上記アンカー材の摺動部に上記支柱の溝に嵌る凸部が形成されていることと、上記溝に上記凸部が嵌ることにより、上記アンカー材が摺動可能に支柱に係合することを特徴とする、請求項２に記載の支柱とコンクリート床版の固定方法。
【請求項４】
所定間隔で支柱用穴を設けたコンクリート基礎を作る基礎形成過程と、
上記コンクリート基礎の支柱用穴にそれぞれ支柱の下端部を嵌め込んで支柱を立てる支柱立設過程と、
上記支柱の外側に複数の壁面構築用パネルを固定する壁面形成過程と、
上記支柱の内側に発泡合成樹脂製ブロックを積み上げる発泡合成樹脂製ブロック配設過程と、
上記積み上げられた発泡合成樹脂製ブロックの上面をコンクリ―トで被覆してコンクリート床版を作るコンクリート床版形成過程を含む擁壁の構築方法において、
上記コンクリート床版形成過程が、
上記支柱の長手方向に摺動可能に支柱に係合する摺動部と、剪断ボルトを通すための穴と楔を打ち込むための長穴とを備える平面部からなるアンカー材の前記摺動部を上記支柱に係合させながら、上記アンカー材の平面部を上記積み上げた発泡合成樹脂製ブロックの上面に当接させる過程と、
上記アンカー材の平面部に形成された穴を貫通して剪断ボルトを上記発泡合成樹脂製ブロックの上面に打ち込み発泡合成樹脂製ブロックとアンカー材を互いに仮固定する過程と、
上記発泡合成樹脂製ブロックの上面にコンクリートを打設するためのせき板を上記支柱に当接するように配置する過程と、
上記アンカー材の平面部に形成された長穴に楔を打ち込み該楔と上記支柱で上記せき板を挟んでせき板を仮固定する過程と、
上記支柱の長手方向に摺動可能に支柱に係合する摺動部と、剪断ボルトを通すための穴と楔を打ち込むための長穴とを備える平面部からなるアンカー材を上記支柱に係合させる過程と、
上記アンカー材の穴を貫通して剪断ボルトを上記発泡合成樹脂製ブロックの上面に打ち込む過程と、
上記発泡合成樹脂製ブロックの上面にコンクリートを打設するためのせき板を上記支柱に当接するように配置する過程と、
上記アンカー材の長穴に楔を打ち込み上記楔と上記支柱で上記せき板を挟んでせき板を仮固定する過程と、
上記発泡合成樹脂製ブロックと上記せき板で区画される部分にコンクリートを打設する過程を含むことを特徴とする、擁壁の構築方法。
【請求項５】
上記支柱の断面が略平面状の中央平面部と上記中央平面部に対して直角に曲げて形成された係合用平面部を備え、上記アンカー材の摺動部を上記支柱に係合させる過程が、上記アンカー材の上記摺動部を上記支柱の係合用平面部に当接させる過程であることを特徴とする、請求項４に記載の擁壁の構築方法。
【請求項６】
上記支柱の係合用平面部に長手方向に延在する溝が形成されていることと、上記アンカー材の摺動部に上記支柱の溝に嵌る凸部が形成されていることと、上記溝に上記凸部が嵌ることにより、上記アンカー材が摺動可能に支柱に係合することを特徴とする、請求項５に記載の擁壁の構築方法。
【請求項７】
請求項４に記載の方法で形成された上記コンクリート床版の上方で、上記壁面形成過程と、上記発泡合成樹脂製ブロック配設過程と、上記コンクリート床版形成過程を繰り返すことを特徴とする、擁壁の構築方法。
【発明の詳細な説明】
【技術分野】
【０００１】
本発明は、支柱とコンクリート床版の固定方法、及び擁壁の構築方法に関するものである。
【背景技術】
【０００２】
特許文献１に、コンクリートで形成した基礎に列設した複数の穴に支柱を立て、外壁面側になる支柱の外側面に外壁構築用パネルを取り付け、壁面裏側になる内側領域に充填材として発泡スチロールブロックを積層し、積み上げた発泡スチロールブロック上にコンクリートを打設し、支柱に係合するアンカーボルトを上記打設したコンクリートの中に埋め込み、支柱とコンクリート床版とを固定する擁壁の構築方法が開示されている（特許文献１の図２７〜２９参照）。
なお、特許文献１の技術は、その複数の支柱を所定の間隔に固定するための「支柱支持方法」に焦点を当てた発明である。
【０００３】
図１４（Ａ）は、特許文献１に記載された、積み上げた発泡スチロールブロック上に形成したコンクリート床版と支柱を固定するための構造を示した概念的平面図であり、図１４（Ｂ）、（Ｃ）及び図１５（Ａ）〜（Ｃ）は、図１４（Ａ）に記載したコンクリート床版と支柱を固定するための構造を実現する工程を示した概念的側面図である。
【０００４】
支柱１０１は、図示しないコンクリート基礎に列設された支柱用穴で支持されている。支柱１０１の断面は、略平面状の中央平面部と上記中央平面部の両側を直角に曲げて互いに対向するように形成された第１の係合用平面部と第２の係合用平面部を備える。
【０００５】
この例では、上記第１と第２の係合用平面部は、それぞれの外縁端をさらに直角に内側に曲げて中央平面部と平行に形成した第１と第２の外縁部が形成されている。その結果、支柱１０１の断面は、角張ったＣ字状を呈している。中央平面部と第１の係合用平面部と第１の外縁部は支柱の長手方向に沿った第１の溝１０１ａを形成し、中央平面部と第２の係合用平面部と第２の外縁部は支柱の長手方向に沿った第２の溝１０１ｂを形成している（図１４（Ａ）参照）。
【０００６】
図１４（Ａ）、（Ｂ）等に示した壁面構築用パネル１０２は、図示されていないグリップ金具を用いて、上記支柱１０１の第１の係合用平面部に下から順に固定されている。他方、支柱１０１の裏面側には発泡スチロールブロック１０３が積み上げられている。支柱１０１は、次の手順で、前記積み上げられた発泡スチロールブロック１０３上面に形成されたコンクリート床版１１０と固定される。
【０００７】
先ず、先端がＬ字状に曲げられ他端にネジが切られたアンカーボルト１０４に、第１のナット１０４ａを螺合させる（図１４（Ｂ）参照）。
次に、スライド金具１０６の凸状部分１０６ｂを支柱１０１の第２の溝１０１ｂに嵌める（図１４（Ａ）参照）。
なお、スライド金具１０６は、貫通穴を有する部分１０６ａと支柱の第２の溝１０１ｂにピッタリと嵌る凸状部分１０６ｂからなる。
【０００８】
次に、コンクリート打設型枠となるせき板１０５を支柱１０１の第２の係合用平面部に当接させ、この状態で、アンカーボルト１０４をせき板１０５に設けられた貫通穴とスライド金具１０６の貫通穴を順に通し、第２のナット１０４ｂをアンカーボルト１０４のネジに螺合させて、二つのナット１０４ａと１０４ｂでせき板１０５とスライド金具１０６を挟持しながら締め付ける（図１４（Ｃ）参照）。
この結果、アンカーボルト１０４とスライド金具１０６とせき板１０５が互いに固定されると同時に、スライド金具１０６の凸状部分１０６ｂとせき板１０５に間に支柱１０１の第２の係合用平面部が挟持された状態で固定される（図１４（Ａ）、図１５（Ａ）参照）。
【０００９】
アンカーボルト１０４のＬ字状部分は片持ちであり、コンクリート打設時等に垂れ下がる可能性がある場合には、必要に応じてコロ１０７等でアンカーボルト１０４の下方を支える（図１５（Ｂ）参照）。
続いて、せき板１０５と発泡スチロールブロック１０３の上面で区画される領域に配筋１０８を施す。この際、アンカーボルト１０４との干渉を避けるように注意する。そして、コンクリート１０９を打設してコンクリート床版１１０を形成する（図１５（Ｃ）参照）。
コンクリート１０９が固化すると、支柱１０１はアンカーボルト１０４によって、このコンクリート床版１１０に固定される。
【００１０】
特許文献１に開示された上記工法では、支柱１０１に対して摺動可能なスライド金具１０６とアンカーボルト１０４とでせき板１０５を挟持し、アンカーボルト１０４をスライド金具１０６にナットで締結し、同時に支柱１０１にスライド金具１０６を固定する方式を採用している。
【００１１】
この方式では、次のような問題点があった。
１）コンクリート床版の配筋１０８とアンカーボルト１０４が干渉し、設置が困難な場合が生じる。
２）コンクリート床版の配筋１０８と接触したアンカーボルト１０４またはせき板１０５が、施工時の振動で所定の位置から動くことがある。
３）せき板１０５に事前に穴あけ加工が必要である。
４）現場での部品の組み立てが必須であり、作業効率が悪い。
５）上部のコンクリート床版の施工時において、外壁構築用パネルの最上端を覆う天端笠石を先行設置することが困難である。
６）カーブ箇所や折れ点での作業が困難である場合がある。
【先行技術文献】
【特許文献】
【００１２】
【特許文献１】特許第５１１１４８１号公報
【発明の開示】
【発明が解決しようとする課題】
【００１３】
本発明は、上述した背景技術が有する問題点に鑑み成されたものであって、その課題は、コンクリート床版の配筋と干渉することがなく、またせき板に事前に穴あけ加工が不要であり、現場での部品の組み立て工程を少なくした、支柱とコンクリート床版の固定方法及び擁壁の構築方法を提案することにある。
【課題を解決するための手段】
【００１４】
上記した課題を解決するため、本発明は、次の（１）〜（７）に記載した支柱とコンクリート床版の固定方法及び擁壁の構築方法とした。
（１）コンクリート基礎に立設された支柱を、該支柱に隣接して積み上げられた発泡合成樹脂製ブロックの上に形成されるコンクリート床版に固定する方法において、
上記支柱の長手方向に摺動可能に支柱に係合する摺動部と、剪断ボルトを通すための穴と楔を打ち込むための長穴とを備える平面部からなるアンカー材の前記摺動部を上記支柱に係合させながら、上記アンカー材の平面部を上記積み上げた発泡合成樹脂製ブロックの上面に当接させる過程と、
上記アンカー材の平面部に形成された穴を貫通して剪断ボルトを上記発泡合成樹脂製ブロックの上面に打ち込み発泡合成樹脂製ブロックとアンカー材を互いに仮固定する過程と、
上記発泡合成樹脂製ブロックの上面にコンクリートを打設するためのせき板を上記支柱に当接するように配置する過程と、
上記アンカー材の平面部に形成された長穴に楔を打ち込み該楔と上記支柱で上記せき板を挟んでせき板を仮固定する過程と、
上記発泡合成樹脂製ブロックと上記せき板で区画される部分にコンクリートを打設しコンクリート床版を形成する過程を含むことを特徴とする、支柱とコンクリート床版の固定方法。
（２）上記支柱の断面が略平面状の中央平面部と上記中央平面部に対して直角に曲げて形成された係合用平面部を備え、上記アンカー材の摺動部を上記支柱に係合させる過程が、上記アンカー材の上記摺動部を上記支柱の係合用平面部に当接させる過程であることを特徴とする、上記（１）に記載の支柱とコンクリート床版の固定方法。
（３）上記支柱の係合用平面部に長手方向に延在する溝が形成されていることと、上記アンカー材の摺動部に上記支柱の溝に嵌る凸部が形成されていることと、上記溝に上記凸部が嵌ることにより、上記アンカー材が摺動可能に支柱に係合することを特徴とする、上記（２）に記載の支柱とコンクリート床版の固定方法。
（４）所定間隔で支柱用穴が設けられたコンクリート基礎を作る基礎形成過程と、
上記コンクリート基礎の支柱用穴にそれぞれ支柱の下端部を嵌め込んで支柱を立てる支柱立設過程と、
上記支柱の外側に複数の壁面構築用パネルを固定する壁面形成過程と、
上記支柱の内側に発泡合成樹脂製ブロックを積み上げる発泡合成樹脂製ブロック配設過程と、
上記積み上げられた発泡合成樹脂製ブロックの上面をコンクリ―トで被覆してコンクリート床版を作るコンクリート床版形成過程を含む擁壁の構築方法において、
上記コンクリート床版形成過程が、
上記支柱の長手方向に摺動可能に支柱に係合する摺動部と、剪断ボルトを通すための穴と楔を打ち込むための長穴とを備える平面部からなるアンカー材の前記摺動部を上記支柱に係合させながら、上記アンカー材の平面部を上記積み上げた発泡合成樹脂製ブロックの上面に当接させる過程と、
上記アンカー材の平面部に形成された穴を貫通して剪断ボルトを上記発泡合成樹脂製ブロックの上面に打ち込み発泡合成樹脂製ブロックとアンカー材を互いに仮固定する過程と、
上記発泡合成樹脂製ブロックの上面にコンクリートを打設するためのせき板を上記支柱に当接するように配置する過程と、
上記アンカー材の平面部に形成された長穴に楔を打ち込み該楔と上記支柱で上記せき板を挟んでせき板を仮固定する過程と、
上記発泡合成樹脂製ブロックと上記せき板で区画される部分にコンクリートを打設する過程を含むことを特徴とする、擁壁の構築方法。
（５）上記支柱の断面が略平面状の中央平面部と上記中央平面部に対して直角に曲げて形成された係合用平面部を備え、上記アンカー材の摺動部を上記支柱に係合させる過程が、上記アンカー材の上記摺動部を上記支柱の係合用平面部に当接させる過程であることを特徴とする、上記（４）に記載の擁壁の構築方法。
（６）上記支柱の係合用平面部に長手方向に延在する溝が形成されていることと、上記アンカー材の摺動部に上記支柱の溝に嵌る凸部が形成されていることと、上記溝に上記凸部が嵌ることにより、上記アンカー材が摺動可能に支柱に係合することを特徴とする、上記（５）に記載の擁壁の構築方法。
（７）上記（４）に記載の方法で形成された上記コンクリート床版の上方で、上記壁面形成過程と、上記発泡合成樹脂製ブロック配設過程と、上記コンクリート床版形成過程を繰り返すことを特徴とする、擁壁の構築方法。
【発明の効果】
【００１５】
上記した本発明に係る支柱とコンクリート床版の固定方法及び擁壁の構築方法によれば、せき板に事前に穴あけ加工が不要であり、現場での部品の組み立てが少なくなるので、作業効率が良い。また、アンカーボルトを使わないので、コンクリート床版の配筋とアンカーボルトが干渉することがなく、アンカーボルトまたはせき板が、施工時の振動で所定の位置から動くという問題から解放される。さらに、上部のコンクリート床版の施工時において、外壁構築用パネルの最上端を覆う天端笠石を先行設置することが容易であり、またカーブ箇所や折れ点での作業も容易となる。
【図面の簡単な説明】
【００１６】
【図１】本発明に係る支柱とコンクリート床版の固定方法及び擁壁の構築方法を用いた構造物の一実施形態を示した概念的な側面図である。
【図２】支柱を支柱用穴に嵌める工程の概念図であり、（Ａ）は側面図、（Ｂ）は平面図である。
【図３】支柱の一実施形態を示した概念図であり、（Ａ）は斜視図、（Ｂ）は横断面図である。
【図４】支柱の他の実施形態を示した概念的横断面図である。
【図５】支柱の外側面に外壁構築用パネルを取り付け、内側に発泡スチロールブロックを配設する工程を示した概念図であり、（Ａ）は側面図、（Ｂ）は平面図である。
【図６】積み上げた発泡スチロールブロックの上面に中間コンクリート床版を形成した状態を示した概念的側面図である。
【図７】アンカー材の一実施形態を示した概念的斜視図である。
【図８】本発明に係る支柱とコンクリート床版の固定方法及び擁壁の構築方法の一実施形態を示した概念図であって、（Ａ）は平面図、（Ｂ）は側面図である。
【図９】本発明に係る支柱とコンクリート床版の固定方法及び擁壁の構築方法の一実施形態の手順を示した概念的側面図である。
【図１０】本発明に係る支柱とコンクリート床版の固定方法及び擁壁の構築方法の一実施形態の手順を示した概念的側面図である。
【図１１】従来技術と本発明による天端笠石とせき板との関係を示した概念図であって、（Ａ）は従来技術による天端笠石とせき板との関係を示した側面図、（Ｂ）は本発明による天端笠石とせき板との関係を示した側面図である。
【図１２】従来技術と本発明による配筋とアンカー材の関係を示した概念図であって、（Ａ）は従来技術による配筋とアンカー材の関係を示した側面図、（Ｂ）は本発明による配筋とアンカー材の関係を示した側面図である。的側面図である。
【図１３】従来技術と本発明によるコンクリート床版の強度管理を示した概念図であって、（Ａ）は従来技術によるコンクリート床版の強度管理を示した側面図、（Ｂ）は本発明によるコンクリート床版の強度管理を示した側面図である。
【図１４】従来技術による支柱とコンクリート床版の固定方法を示した概念図である。
【図１５】従来技術による支柱とコンクリート床版の固定方法を示した概念図である。
【発明を実施するための最良の形態】
【００１７】
以下、図面を参照しながら、本発明に係る支柱とコンクリート床版の固定方法及び擁壁の構築方法を詳細に説明する。ただし、本発明の技術的範囲は、この実施形態に限定されるものではない。
【００１８】
図１は、本発明に係る支柱とコンクリート床版の固定方法及び擁壁の構築方法を用いた構造物の一実施形態を示した概念的な側面図である。該構造物の作製は、次の方法によりなされている。
【００１９】
地面１の上に通常の工法でコンクリート基礎２を作り、そのコンクリート基礎２に支柱用穴３（例えば直径１５０ｍｍの穴）を列設（例えば４５０ｍｍ間隔で）する。
列設した支柱用穴３に支柱４を嵌め込み、支柱を立て、図示しない仮止め固定材、及び図示しない水平定規材と固定用グリップなどを用いて所定の間隔及び配置に支柱を仮固定する（図２（Ａ）、（Ｂ）参照）。
続いて、支柱用穴３の中に、例えばモルタル、コンクリート等の充填剤３ａを充填し、支柱４を固定する。なお、支柱４の底部の固定に関する技術は、特許文献１等により開示され公知技術に属するので、詳しい説明はここでは省略する。
【００２０】
図３（Ａ），（Ｂ）は、図１の実施形態で使われている支柱４の概念的斜視図及び横断面図である。この実施形態では、支柱４の断面は、略平面状の中央平面部４ａと上記中央平面部の両側を直角に曲げて互いに平行になるように形成された第１の係合用平面部４ｂと第２の係合用平面部４ｃを備え、さらに、第１と第２の係合用平面部４ｂ，４ｃは、それぞれの外縁端をさらに直角に内方に曲げて中央平面部４ａと平行に形成した第１と第２の外縁部４ｄと４ｅが形成されている。その結果、支柱４の断面は角張った略Ｃ字状を呈している。中央平面部４ａと第１の係合用平面部４ｂと第１の外縁部４ｄは支柱の長手方向に沿った第１の溝４ｆを形成し、中央平面部４ａと第２の係合用平面部４ｃと第２の外縁部４ｅは支柱の長手方向に沿った第２の溝４ｇを形成している。そして、該支柱４は、図２（Ｂ）等に示すように、外壁構築用パネルが取り付けられる第１の係合用平面部４ｂが擁壁の表面に現れるよう方向を揃えて、支柱用穴３に嵌め込まれ、固定される。
【００２１】
図３（Ａ），（Ｂ）に示した支柱４の形状は、本発明を実施する上で好適であるが、本発明は他の形状、例えば、第１と第２の溝４ｆ，４ｇの両方または一方が無い形状、或いは断面形状が全く異なる支柱を用いても実施することが可能である。図４（Ａ）は、第１の溝４ｆを備えない場合を示す。図４（Ｂ）は、第１と第２の溝４ｆ，４ｇを備えるものの、断面形状が全体としてクランク状形状である場合を示す。
【００２２】
図５に示すように、この実施形態では、上記支柱４の第１の係合用平面部４ｂに壁面構築用パネル５を取り付ける。壁面構築用パネル５は、例えば高さ３００ｍｍ、幅９００ｍｍ、厚さ３５ｍｍのコンクリートや合成樹脂等からなる矩形のパネルである。壁面構築用パネル５は取り付け部材を用いて、該パネルの裏面で支柱４の第１の係合平面部４ｂに取り付けられる。例えば、支柱４の外側に下から順に横方向に１／２単位だけずらしながら、外壁構築用パネル５を順次に取り付けてゆく。パネルの取り付けには、種々の公知の方法、例えば特許文献１に開示されている方法を採用することができる。
【００２３】
同時進行で、支柱４の内側、すなわち支柱４の第２の係合用平面部４ｃ側に充填材としての発泡スチロールブロック６を敷き詰める。
そして、図６に示した実施形態においては、発泡スチロールブロック６を４段積み上げた上面に中間コンクリート床版７を形成している。この中間コンクリート床版７は、発泡スチロールブロック６の積み上げ状態の安定化及び荷重の分散による補強のために設けられる。図６は積み上げた発泡スチロールブロック６の上面に中間コンクリート床版７を形成した状態の概念的側面図である。
【００２４】
中間コンクリート床版７を形成するとき、支柱４と係合したアンカー材８を打設したコンクリートに埋め込み、支柱４をコンクリート床版７に固定する。図７は本発明において用いる一実施形態のアンカー材８の形状を示した概念的斜視図である。
【００２５】
図示したアンカー材８は、断面が略「己」字状の摺動部８ａと、該摺動部８ａに垂直な平面内に延在する平面部８ｂからなる形状を呈している。摺動部８ａは支柱４の長手方向に摺動可能に支柱に係合する。平面部８ｂは、剪断ボルトを通すための穴８ｃと、楔打ち込み用の長穴８ｄをその板面に備える。
【００２６】
この実施形態では、図３（Ｂ）に示したように、支柱４の断面形状は中央平面部４ａと第２の係合用平面部４ｃと第２の外縁部４ｅが形成する第２の溝４ｇを有している。アンカー材８の摺動部８ａの凸状部が、この第２の溝４ｇに嵌って支柱４と係合する。
【００２７】
図８（Ａ）の平面図は、アンカー材８の摺動部８ａの凸状部を支柱４の第２の溝４ｇに係合させた状態を示す。アンカー材８は支柱４の長手方向に摺動可能であるので、アンカー材８を第２の係合用平面部４ｃに引き付けながら、アンカー材８の平面部８ｂの下面を積層した発泡スチロールブロック６の上面に当接させることができる。その当接させた状態を、図９（Ａ）の側面図に示す。なお、支柱４の断面形状が図４（Ａ）または（Ｂ）に示すような形状の第２の係合用平面部４ｃを有する場合にも、アンカー材８の摺動部８ａが支柱４に係合した状態で、発泡スチロールブロック６の上面に当接するようにアンカー材８の位置決めをすることができる。
【００２８】
この状態で、図９（Ｂ）の側面図に示すように、剪断ボルト９をアンカー材８の穴８ｃを貫通させて発泡スチロールブロック６に打ち込み、剪断ボルト９をナット９ａで固定する。この結果、発泡スチロールブロック６はアンカー材８を介して支柱４に仮固定される。
【００２９】
発泡スチロールブロック６をアンカー材８を介して支柱４に仮固定した後、図９（Ｃ）に示すように、コンクリート打設型枠となるせき板１０を支柱４の第２の当接用平面部４ｃに発泡スチロールブロック側から当接させて仮置きする。
【００３０】
次に、図１０（Ａ）に示すように、楔１１をアンカー材８の長穴８ｄを貫通させて発泡スチロールブロック６に打ち込む。長穴８ｄの支柱４の第２の係合用平面部との間の距離を楔１１の厚さに合わせて適切に設計しておくことにより、せき板１０を楔１１と支柱４で挟み込み、せき板１０を支柱４に沿った状態で固定できる。
【００３１】
この状態で、発泡スチロールブロック６の上面とせき板１０で区画された領域に配筋１２を施し、そしてコンクリート１３を打設する。発泡スチロールブロックの上面を覆うコンクリート１３が固化すると、中間コンクリート床版７が形成され、アンカー材８はコンクリート１３と一体となり、アンカー材８と係合している支柱４は中間コンクリート床版７に固定される。
【００３２】
図１の実施形態に係る構造体は、中間コンクリート床版７に支柱４を上記の方法で固定した後、さらに支柱４の外側に外壁構築用パネル５を順に取り付け、支柱４の内側に発泡スチロールブロック６を積み上げ、最上段の発泡スチロールブロック６の上に上部コンクリート床版１４を形成した例である。この上部コンクリート床版１４の形成も、上記中間コンクリート床版７の形成方法と同様の方法により行うことにより、支柱４と上部コンクリと床版１４とが固定される。図１の実施形態では、このようにして完成したコンクリート床版１４の上に調整コンクリート１５を形成し、さらにその上に上部擁壁（あるいはガードレール基礎等）１６を形成したものである。
【００３３】
天端笠石１７は、図１に示されているように、外壁構築用パネル５が取り付けられた支柱４の最上端に笠のように取り付けられる部材である。従来技術によって上部コンクリート床版を形成するときは、従来技術を示す図１１（Ａ）に示すように、アンカーボルト１０４を取り付けたせき板１０５の穴を貫通させて支柱１０１にナット１０４ｂにより固定しなければならない。しかし、この天端笠石１７を支柱１０１の上を覆うように取り付けた後は、そのようなせき板１０５を支柱１０１に取り付けるために手を入れる開部が閉じられてしまうので、天端笠石１７の取り付けは上部コンクリート床版の形成後に行う必要があった。
【００３４】
本発明に係る方法によるときは、図１１（Ｂ）に示すように、先ず天端笠石１２を支柱４の最上端に天端笠石取り付け部材１８を用いて取り付ける。その後に、アンカー材８を支柱４に係合させながら発泡スチロールブロック６の上面に当接させ、剪断ボルト９を打ち込み、それをナット９ａで固定し、その後にせき板１０を楔１１で仮固定し、配筋をした後コンクリートを打設することが可能であり、容易な作業に変わる。
【００３５】
また、中間コンクリート床版７あるいは上部コンクリート床版１４を形成するとき配筋を施さなければならない。従来技術によるときは、支柱を固定するためにアンカーボルト１０４を使う。そして、従来技術を示す図１２（Ａ）に示すように、アンカーボルト１０４は片持ちでまたはコロ１０７によって支えられて発泡スチロールブロックの上面から離れて保持されている。その位置は配筋１０８が配置される場所と重なっている。従って中間コンクリート床版あるいは上部コンクリート床版の中でアンカーボルト１０４と配筋１０８が交差し干渉することが起こりがちである。それらの干渉を避けあるいは解除するためには周到な準備が必要であった。
【００３６】
これに対して本発明においては、図１２（Ｂ）に示すように、アンカー材８は発泡スチロールブロック６の上面に当接しているので、コンクリートの中央部に配置される配筋１２とは位置が異なり、中間コンクリート床版７あるいは上部コンクリート床版１４の中でアンカー材８と配筋１２が交差し干渉することは起こらない。この結果、作業性と部材の設置安定性が著しく改善される。
【００３７】
さらに、図１３（Ａ）は、従来技術による支柱とコンクリート床板との固定方法を採用したときの、地震・風荷重等の外力Ｆに対するコンクリートと支柱の間の結合強度を、コンクリートとの付着力で管理していることを示している。図１３（Ｂ）は、本発明に係る支柱とコンクリート床板との固定方法を採用したときの、地震・風荷重等の外力Ｆに対してコンクリートと支柱の間の結合強度を、剪断ボルト９の剪断力で管理していることを示している。例えば、想定される外力の大きい場合は、剪断ボルト９の大きさあるいは数を増やすことで結合強度を変えることが容易にでき、設計の自由度が高く信頼性の高い固定を実現できる。
【００３８】
以上、本発明に係る支柱とコンクリート床板との固定方法及び擁壁の構築方法を詳しく説明してきたが、本発明の適用対象は図面に例示された実施形態に限られず、同じ技術思想で他の形態の装置及び方法として実施することも可能であることは言うまでもない。例えば、充填材としての発泡スチロールブロックは、同等の機能を有する他の発泡合成樹脂製ブロック、例えば、ポリエチレン、ポリプロピレン、ポリウレタン、ポリ塩化ビニル等の合成樹脂を発泡させたブロックを用いることができる。また、支柱の断面構造、アンカー材の形状等も、実施形態で示したものに何ら限定されるものではない。
【産業上の利用可能性】
【００３９】
本発明に係る支柱とコンクリート床板との固定方法及び擁壁の構築方法は、作業性が著しく改善されたものとなるので、道路、鉄道、土地造成などの土木、建築分野の工事において擁壁を構築する際に広く用いることができる。
【符号の説明】
【００４０】
１    地面
２    コンクリート基礎
３    支柱用穴
３ａ    充填剤
４    支柱
４ａ    中央平面部
４ｂ    第１の係合用平面部
４ｃ    第２の係合用平面部
４ｄ    第１の外縁部
４ｅ    第２の外縁部
４ｆ    第１の溝
４ｇ    第２の溝
５    壁面構築用パネル
６    発泡スチロールブロック
７    中間コンクリート床版
８    アンカー材
８ａ    摺動部
８ｂ    平面部
８ｃ    穴
８ｄ    長穴
９    剪断ボルト
９ａ，９ｂ    剪断ボルトのナット
１０    せき板
１１    楔
１２    配筋
１３    コンクリート
１４    上部コンクリート床版
１５    調整コンクリート
１６    上部擁壁（ガードレール基礎等）
１７    天端笠石
１８    天端笠石取り付け部材
【図１】
2020200672.tif 000003
【図２】
2020200672.tif 000004
【図３】
2020200672.tif 000005
【図４】
2020200672.tif 000006
【図５】
2020200672.tif 000007
【図６】
2020200672.tif 000008
【図７】
2020200672.tif 000009
【図８】
2020200672.tif 000010
【図９】
2020200672.tif 000011
【図１０】
2020200672.tif 000012
【図１１】
2020200672.tif 000013
【図１２】
2020200672.tif 000014
【図１３】
2020200672.tif 000015
【図１４】
2020200672.tif 000016
【図１５】
2020200672.tif 000017